(57)【要約】【課題】電子機器に電力を供給する際において、高い利便性を備えて操作性を向上することができ、電子機器の設置場所を自由に設定可能にする。【解決手段】電力供給システム１ａは、空間を仕切る壁面１０に設置される絶縁性のシート部材１１に延在するように、間隔を隔てて複数の電極線２１ａが形成されており、その複数の電極線２１ａの間において電位差が生ずるように分配部３１が電力を分配する。【選択図】図１
2005333776.tif 000002
【特許請求の範囲】
【請求項１】
電子機器に電力を供給する電力供給システムであって、
空間を仕切る壁面に設置される絶縁性のシート部材と、
前記シート部材に延在するように複数が間隔を隔てて形成された電極線と、
前記複数の電極線の間において電位差が生ずるように電力を分配する分配部と
を有し、
複数の間において前記電位差を有する前記電極線を前記電子機器に接続することにより、前記電子機器に電力を供給する
電力供給システム。
【請求項２】
前記電極線は、前記シート部材に少なくとも一部が埋設されている
請求項１に記載の電力供給システム。
【請求項３】
前記分配部は、前記電力を電源から受け、前記電源からの前記電力を分配する
請求項１に記載の電力供給システム。
【請求項４】
前記電極線を被覆するように絶縁層が形成されており、
複数の間において前記電位差を有する前記電極線は、前記電子機器の接続端子が前記絶縁層を通して接続されることにより、前記電子機器に電力を供給する
請求項１に記載の電力供給システム。
【請求項５】
空間を仕切る壁面に設置される絶縁性のシート部材と、前記シート部材に延在するように複数が間隔を隔てて形成された電極線と、前記複数の電極線の間において電位差が生ずるように電源からの電力を分配する分配部とを有する電力供給システムにて、前記電位差を有する前記複数の電極線のそれぞれに接続されることにより電力が供給される電子機器であって、
前記複数の電極線との間の間隔に対応するように形成され、前記電極線に接続する一対の接続端子
を有する
電子機器。
【請求項６】
前記電力供給システムは、前記電極線を被覆するように絶縁層が形成されており、
前記接続端子は、複数の間において前記電位差を有する前記電極線に前記絶縁層を通して接続するように針状に形成されている
請求項５に記載の電子機器。
【請求項７】
空間を仕切る壁面に設置される絶縁性のシート部材と、前記シート部材に延在するように複数が間隔を隔てて形成された電極線と、前記複数の電極線の間において電位差が生ずるように電源からの電力を分配する分配部とを有し、複数の間において前記電位差を有する前記電極線が前記電子機器に接続することによって前記電子機器に電力を供給する電力供給システムにて、前記複数の電極線を探索する電極線探索装置であって、
前記複数の電極線との間の間隔に対応するように形成されている一対の探索端子と、
前記一対の探索端子と前記電極線との接続状態を通知する通知部と
を有する
電極線探索装置。
【請求項８】
前記一対の探索端子は、複数の対が異なる位置に形成されており、
前記通知部は、前記一対の探索端子の複数の対に対応するように、複数が形成されている
請求項７に記載の電極線探索装置。
【発明の詳細な説明】
【技術分野】
【０００１】
本発明は、電力供給システム、電子機器、電極線探索装置に関する。
【背景技術】
【０００２】
ＡＶ（ａｕｄｉｏｖｉｓｕａｌ）機器などの電子機器は、無線ＬＡＮ（Ｌｏｃａｌ  Ａｒｅａ  Ｎｅｔｗｏｒｋ）などの無線通信システムによって各種の信号を受信し、音声の再生や画像の表示などの動作を行っている。そして、電子機器に電力を供給する場合においては、無線電波のエネルギーによって電子機器が動作する方法が適用されている。このように、無線通信システムによる音声・画像信号の受信や無線電波によるエネルギーを電力として供給する方法を電子機器に適用することにより、配線ケーブルの数が減少してきており、設置場所が制約されず、さまざまな場所に電子機器を設置することが可能になってきている（たとえば、特許文献１参照）。
【０００３】
【特許文献１】特開平６−１４０９６９号公報
【発明の開示】
【発明が解決しようとする課題】
【０００４】
しかしながら、無線電波によるエネルギーは微弱であり供給可能な電力が小さいため、電子機器を動作させることができない場合が多く、対象となる機器が制限されている。このため、電池などの局所電源を電子機器自身に備えるか、配線ケーブルを介してコンセントから電力を供給する方法が適用されている。
【０００５】
ここで、電池などの局所電源を電子機器自身に備える前者の場合では、電池の交換や充電などを定期的に実施する必要があるため、利便性が損なわれて操作性が低下する場合がある。
【０００６】
また、配線ケーブルを介してコンセントから電力を供給する後者の場合では、電子機器の設置場所が制約されることになるため、無線通信システムによる音声・画像信号の受信する方式を電子機器に適用することの利点が損なわれると共に、コンセントからの配線ケーブルによって美観を損なう場合がある。
【０００７】
以上のように、電子機器に電力を供給する際においては、利便性が損なわれて操作性が低下する場合があり、電子機器の設置場所が制約される場合がある。
【０００８】
したがって、本発明の目的は、電子機器に電力を供給する際において、高い利便性を備えて操作性を向上することができ、電子機器の設置場所を自由に設定可能にする電力供給システム、電子機器、電極線探索装置を提供することにある。
【課題を解決するための手段】
【０００９】
上記目的を達成するために、本発明の電力供給システムは、電子機器に電力を供給する電力供給システムであって、空間を仕切る壁面に設置される絶縁性のシート部材と、前記シート部材に延在するように複数が間隔を隔てて形成された電極線と、前記複数の電極線の間において電位差が生ずるように電力を分配する分配部とを有し、複数の間において前記電位差を有する前記電極線を前記電子機器に接続することにより、前記電子機器に電力を供給する。
【００１０】
本発明の電力供給システムによれば、空間を仕切る壁面に設置される絶縁性のシート部材に延在するように、間隔を隔てて複数の電極線が形成されており、その複数の電極線の間において電位差が生ずるように分配部が電力を分配する。そして、複数の間において電位差を有する電極線を電子機器に接続することによって電子機器に電力を供給する。
【００１１】
上記目的を達成するために、本発明の電子機器は、空間を仕切る壁面に設置される絶縁性のシート部材と、前記シート部材に延在するように複数が間隔を隔てて形成された電極線と、前記複数の電極線の間において電位差が生ずるように電源からの電力を分配する分配部とを有する電力供給システムにて、前記電位差を有する前記複数の電極線のそれぞれに接続されることにより電力が供給される電子機器であって、前記複数の電極線との間の間隔に対応するように形成され、前記電極線に接続する一対の接続端子を有する。
【００１２】
本発明の電子機器によれば、空間を仕切る壁面に設置される絶縁性のシート部材に延在するように、間隔を隔てて複数の電極線が形成され、その複数の電極線の間において電位差が生ずるように分配部が電力を分配する電力供給システムにて、その電位差を有する複数の電極線との間の間隔に対応するように、一対の接続端子が形成されている。電子機器は、その一対の接続端子が電力供給システムのその電極線に接続して、電力が供給される。
【００１３】
上記目的を達成するために、本発明の電極線探索装置は、空間を仕切る壁面に設置される絶縁性のシート部材と、前記シート部材に延在するように複数が間隔を隔てて形成された電極線と、前記複数の電極線の間において電位差が生ずるように電源からの電力を分配する分配部とを有し、複数の間において前記電位差を有する前記電極線が前記電子機器に接続することによって前記電子機器に電力を供給する電力供給システムにて、前記複数の電極線を探索する電極線探索装置であって、前記複数の電極線との間の間隔に対応するように形成されている一対の探索端子と、前記一対の探索端子と前記電極線との接続状態を通知する通知部とを有する。
【００１４】
本発明の電極線探索装置によれば、空間を仕切る壁面に設置される絶縁性のシート部材に延在するように、間隔を隔てて複数の電極線が形成され、その複数の電極線の間において電位差が生ずるように分配部が電力を分配する電力供給システムにて、その電位差を有する複数の電極線との間の間隔に対応するように、一対の探索端子が形成されている。電極線探索装置は、その一対の探索端子を電力供給システムのその電極線に接続させ、その電極線を探索する。そして、その一対の探索端子と、電力供給システムの電極線との接続状態を通知部が通知する。
【発明の効果】
【００１５】
本発明によれば、電子機器に電力を供給する際において、高い利便性を備えて操作性を向上することができ、電子機器の設置場所を自由に設定可能にする電力供給システム、電子機器、電極線探索装置を提供することができる。
【発明を実施するための最良の形態】
【００１６】
本発明にかかる実施形態の一例について説明する。
【００１７】
＜実施形態１＞
以下より、本発明にかかる実施形態１について説明する。
【００１８】
図１は、本実施形態の電力供給システム１ａを示す構成図である。図１において、図１（ａ）は、電力供給システム１ａの全体を示しており、図１（ｂ）は、図１（ａ）の点線部分Ｘを拡大して示している。
【００１９】
また、図２は、本実施形態の電子機器２ａの構成を示す斜視図である。図２においては、本実施形態の電子機器２ａの構成と共に、その電子機器２ａと電力供給システム１ａとの使用形態を示している。
【００２０】
下記より、電力供給システム１ａと電子機器２ａとの各構成部材について順次説明する。
【００２１】
図１（ａ）に示すように、本実施形態の電力供給システム１ａは、シート部材１１と、電極線２１ａと、分配部３１とを有する。そして、図２に示すように、電力供給システム１ａは、空間を仕切る壁面１０に配置される電子機器２ａを接続し、その電子機器２ａに電力を供給する。
【００２２】
シート部材１１は、絶縁性であり、空間を仕切る壁面１０に設置される。たとえば、シート部材１１は、壁面１０として、室内空間における壁、床、天井に設置される。シート部材１１は、図１（ｂ）に示すように、たとえば、ナイロンなどの絶縁性材料の繊維を織った織物で形成されている。
【００２３】
電極線２１ａは、シート部材１１に延在するように、複数が間隔を隔てて平行になるように形成されている。電極線２１ａは、複数の間において電位差を有するように分配部３１によって電力が分配され、接続される電子機器２ａに電力を供給する。電極線２１ａは、金属繊維、カーボンファイバーなどの導電性材料からなる。電極線２１ａは、図１（ｂ）に示すように、導電性材料の繊維が、間隔を隔てて、シート部材１１を構成する繊維と共に織り込まれて形成されており、シート部材１１を構成する繊維に少なくとも一部が埋設され、一部が表面に露出している。なお、本実施形態において、電極線２１ａは、５本を１組として間隔を隔てて形成されている。電極線２１ａ群は、複数群設けられており、それぞれの電極線２１ａ群の間が間隔を隔てて形成されている。そして、電極線２１ａ群の間で電位差を有するように、分配部３１によって電力が分配されており、たとえば、１Ｖ間隔で１００Ｖから０Ｖまで順次分圧されている。このため、電位差がある電極線２１ａ間での短絡を防止するように、十分な間隔を設けて電極線２１ａが配置されることが好ましい。
【００２４】
分配部３１は、複数の電極線２１ａの間において電位差が生ずるように電力を分配するために設けられている。分配部３１は、電源４１から電力を受け、電源４１からの電力を分配する。分配部３１は、電源分圧装置であってトランスで構成されており、電極線２１ａに交流で電力を供給する。分配部３１は、上述のように、電極線２１ａ群の間で電位差を有するように、たとえば、１Ｖ間隔で１００Ｖから０Ｖまで順次分圧する。なお、分配部３１は、直流で動作する電子機器２ａに対応するために、整流および平滑回路を分配部３１に設けてもよい。
【００２５】
図２に示すように、電子機器２ａは、電子機器本体１１１と、接続端子１２１ａとを有する。
【００２６】
電子機器本体１１１は、ＡＶ機器本体であり、たとえば、無線ＬＡＮなどの無線通信システムによって各種の信号を受信し、音声の再生や画像の表示などの動作を行う。電子機器本体１１１は、電力供給システム１ａのシート部材１１を介して、空間を仕切る壁面１０に配置される。
【００２７】
接続端子１２１ａは、一対で構成され、電力供給システム１ａにおいて電位差が異なる複数の電極線２１ａとの間の間隔に対応するように形成されている。一対の接続端子１２１ａは、電位差が異なる一対の電極線２１ａに接続し、電力供給システム１ａからの電力を電子機器本体１１１に供給する。本実施形態において、接続端子１２１ａは、図２に示すように、湾曲した板状の導電材料で形成されており、電力供給システム１ａにおいて電位差を有する一対の電極線２１ａの表面露出部分に、金属の弾性を利用して適度な圧力で接触し、電気的に接続する。本実施形態においては、図２に示すように、たとえば、０Ｖと２Ｖとに分圧されて２Ｖの電位差を有する一対の電極線２１ａ群の間隔に対応するように、一対の接続端子１２１ａが間隔を隔てて形成されている。なお、接続端子１２１ａは、電子機器本体１１１が必要とする電流容量に対応して複数としてもよい。
【００２８】
なお、本実施形態の電力供給システム１ａは、本発明の電力供給システムに相当する。そして、本実施形態の電子機器２ａは、本発明の電子機器に相当する。また、本実施形態のシート部材１１は、本発明のシート部材に相当する。そして、本実施形態の電極線２１ａは、本発明の電極線に相当する。また、本実施形態の分配部３１は、本発明の分配部に相当する。そして、本実施形態の接続端子１２１ａは、本発明の接続端子に相当する。
【００２９】
以上のように、上記の本実施形態の電力供給システム１ａは、空間を仕切る壁面１０に設置される絶縁性のシート部材１１に延在するように、間隔を隔てて複数の電極線２１ａが形成されており、その複数の電極線２１ａの間において電位差が生ずるように分配部３１が電力を分配する。そして、本実施形態の電子機器２ａは、上記の電力供給システム１ａにて、電位差を有する複数の電極線２１ａとの間の間隔に対応するように、一対の接続端子１２１ａが形成されている。空間を仕切る壁面１０に電子機器２ａを配置する際には、電力供給システム１ａにおいて複数の間にて電位差を有する一対の電極線２１ａに、電子機器２ａの接続端子１２１ａを接続する。このようにして、電力供給システム１ａが電子機器２ａに電力を供給する。
【００３０】
このため、本実施形態は、電子機器２ａに電力を供給する際において、電子機器２ａの設置場所を電力供給システム１ａに対して所望の位置に設定することができ、局所電源を電子機器２ａ自身に備える必要がないために、高い利便性を備え操作性を向上することができる。
【００３１】
＜実施形態２＞
以下より、本発明にかかる実施形態２について説明する。
【００３２】
図３は、本実施形態の電力供給システム１ｂを示す構成図である。図３において、図３（ａ）は、電力供給システム１ｂの全体を示しており、図３（ｂ）は、図３（ａ）の点線部分Ｘを拡大して示している。また、図３（ｃ）は、図３（ａ）の点線部分Ｘの断面を示している。
【００３３】
また、図４は、本実施形態の電子機器２ｂの構成を示す斜視図である。
【００３４】
本実施形態の電力供給システム１ｂは、電極線２１ｂが実施形態１の電極線２１ａの形状と異なることと、絶縁層５１が実施形態１と異なって設けられていることとを除き、実施形態１と同様である。また、本実施形態の電子機器２ｂは、接続端子１２１ｂが実施形態１の接続端子１２１ａと形状が異なることを除き、実施形態１と同様である。よって、重複する個所については、説明を省略する。
【００３５】
電力供給システム１ｂの電極線２１ｂは、図３に示すように、リボン状であり、シート部材１１の表面に複数が平行に延在して形成されている。電極線２１ｂは、実施形態１と同様に、複数の間において電位差を有するように分配部３１によって電力が分配され、接続される電子機器２ａに電力を供給する。
【００３６】
電力供給システム１ｂの絶縁層５１は、電極線２１ｂを被覆するようにシート部材１１の表面に形成されている。絶縁層５１は、たとえば、高分子樹脂などの絶縁材料により形成されている。絶縁層５１は、シート部材１１の表面部分に所望の模様や色彩を施すために、被覆する電極線２１ｂが見えないように不透明であることが好ましい。
【００３７】
電子機器２ｂの接続端子１２１ｂは、複数の間において電位差を有する電極線２１ｂに絶縁層５１を貫通して接続するように、針状で形成されている。
【００３８】
なお、本実施形態の電力供給システム１ｂは、本発明の電力供給システムに相当する。
また、本実施形態の絶縁層５１は、本発明の絶縁層に相当する。そして、本実施形態の電子機器２ｂは、本発明の電子機器に相当する。また、本実施形態の電極線２１ｂは、本発明の電極線に相当する。そして、本実施形態の接続端子１２１ｂは、本発明の接続端子に相当する。
【００３９】
以上のように、上記の本実施形態において、電力供給システム１ｂは絶縁層５１が形成され、電子機器２ｂは接続端子１２１ｂが針状で形成されている。本実施形態は、電子機器２ｂの接続端子１２１ｂが、電力供給システム１ｂの絶縁層５１を貫通し、複数の間で電位差を有する電極線２１ｂに接続する。このようにして、本実施形態は、電力供給システム１ｂが電子機器２ｂに電力を供給する
【００４０】
このため、本実施形態において、電力供給システム１ｂは、絶縁層５１が電極線２１ｂを被覆しているために、複数の間で電位差を有する電極線２１ｂにて、不注意で導電体が短絡することを防止することができるため高い利便性を得ることができる。そして、本実施形態は、絶縁層５１が不透明であり、所望のデザインを絶縁層５１に施すことが容易になるため、高い利便性を得ることができる。また、本実施形態において、電子機器２ｂの接続端子１２１ｂが針状で形成されているため、その接続端子１２１ｂが電力供給システム１ｂの絶縁層５１を貫通して容易に接続することができるため、高い利便性を備えて操作性を向上することができる。
【００４１】
＜実施形態３＞
以下より、本発明にかかる実施形態３について説明する。
【００４２】
図５は、本実施形態の電極線探索装置３ａを示す構成図である。
【００４３】
図５に示すように、電極線探索装置３ａは、探索装置本体２１１と、探索端子２２１と、通知部２３１と、マーク部２４１とを有し、たとえば、実施形態２で示した電力供給システム１ｂの電極線２１ｂを探索する際に用いられる。
【００４４】
探索装置本体２１１は、板状の基体であり、一方の面に探索端子２２１が一対で設けられ、他方の面に通知部２３１とマーク部２４１とが形成されている。
【００４５】
探索端子２２１は、一対で構成されており、電力供給システム１ｂにて電位差を有する一対の電極線２１ｂとの間の間隔に対応するように形成されている。探索端子２２１は、導電材料によって、たとえば、針状に形成されており、電力供給システム１ｂの絶縁層５１を貫通して電極線２１ｂに接触可能になるような長さで形成されている。
【００４６】
通知部２３１は、一対の探索端子２２１と、一対の電極線２１ｂとの接続状態を通知するために設けられている。通知部２３１は、たとえば、発光体を含み、一対の探索端子２２１と一対の電極線２１ｂとが接続している場合においては、電力供給システム１において電位差を有する一対の電極線２１ｂから探索端子２２１を介して電力が供給されて、発光する。
【００４７】
マーク部２４１は、探索装置本体２１１の他方面側に形成され、電力供給システム１ｂにて電位差がある一対の電極線２１ｂ間の中心を指示する。マーク部２４１は、一対の探索端子２２１との間であって、電力供給システム１ｂにて電位差がある一対の電極線２１ｂ間の中心に対応するように、探索装置本体２１１の他方面側に形成されている。たとえば、電位差を有する一対の電極線２１ｂが所定の幅ｄで延在し、その延在方向に対応する一端部を探索端子２２１で探索する場合、マーク部２４１は、一対の探索端子２２１間の中心から、電極線２１ｂの幅ｄの半分の値（ｄ／２）分だけ電極線２１ｂの他端部側にシフトするように形成されている。
【００４８】
なお、本実施形態の電極線探索装置３ａは、本発明の電極線探索装置に相当する。また、本実施形態の探索端子２２１は、本発明の探索端子に相当する。そして、本実施形態の通知部２３１は、本発明の通知部に相当する。
【００４９】
以下より、本実施形態の電極線探索装置３ａを用いて、電力供給システム１ｂの電極線２１ｂを探索する方法について説明する。
【００５０】
図６は、本実施形態の電極線探索装置３ａの使用形態を示す図である。図６において、図６（ａ）は、電極線探索装置３ａの一対の探索端子２２１と、電力供給システム１ｂの一対の電極線２１ｂとが接続していない場合を示しており、図６（ｂ）は、一対の探索端子２２１と一対の電極線２１ｂとが接続している場合を示している。
【００５１】
図６に示すように、電力供給システム１ｂの電極線２１ｂを探索する際においては、電極線探索装置３ｂの探索端子２２１ａ〜ｅが形成されている面を、電力供給システム１ｂにおいて電極線２１ｂが形成されている面に合わせる。そして、電極線探索装置３ａの一対の探索端子２２１を、電力供給システム１ｂの絶縁層５１に貫通させて電極線２１ｂに接続させ、電極線２１ｂを探索する。図６（ａ）に示すように、一対の探索端子２２１が一対の電極線２１ｂとが接続していない場合には通知部２３１が発光せず、一方、図６（ｂ）に示すように、一対の探索端子２２１と一対の電極線２１ｂとが接続している場合には通知部２３１が発光してユーザーに通知する。これにより、探索端子２２１がある位置に電極線２１ｂがあることが判る。ここで、一対の探索端子２２１と一対の電極線２１ｂとが接続している場合においては、マーク部２４１が、電力供給システム１ｂにて電位差がある一対の電極線２１ｂ間の中心を指示するため、この指示位置に基づいてユーザーが電子機器２ｂを設置する。たとえば、ユーザーは、電子機器２ｂの中心部分をマーク部２４１が指示する位置に合わせて、シート部材１１を介して電子機器２ｂを壁面１０に設置する。
【００５２】
以上のように、本実施形態の電極線探索装置３ａによれば、一対の探索端子２２１を電力供給システム１ｂの電極線２１ｂに接続させて、その電極線２１ｂを探索する。そして、その一対の探索端子２２１と、電力供給システム１ｂの電極線２１ｂとの接続状態を通知部２３１が通知する。このため、本実施形態は、電子機器２ｂに電力を供給する際において、電力供給システム１ｂの電極線２１ｂを容易に探索できるため、電子機器２ｂの設置場所を電力供給システム１ｂに容易に設定することができ、高い利便性を備え操作性を向上することができる。
【００５３】
＜実施形態４＞
以下より、本発明にかかる実施形態４について説明する。
【００５４】
図７は、本実施形態の電極線探索装置３ｂを示す構成図である。
【００５５】
図７に示すように、電極線探索装置３ｂは、探索装置本体２１１と、探索端子２２１ａ〜ｅと、通知部２３１ａ〜ｅと、マーク部２４１ａ〜ｅとを有し、たとえば、実施形態２で示した電力供給システム１ｂの電極線２１ｂを探索する際に用いられる。
【００５６】
本実施形態は、一対の探索端子２２１ａ〜ｅが複数の対からなり、その複数対の各探索端子２２１ａ〜ｅがそれぞれ異なる位置に形成されていることと、通知部２３１ａ〜ｅが探索端子２２１ａ〜ｅの複数の対に対応するように複数形成されていることと、マーク部２４１ａ〜ｅが探索端子２２１ａ〜ｅの複数の対に対応するように複数形成されていることとを除き、実施形態３と同様である。よって、重複する個所については説明を省略する。
【００５７】
探索端子２２１ａ〜ｅは、複数の対からなり、その複数対の位置がそれぞれ異なっている。探索端子２２１ａ〜ｅは、たとえば、第１探索端子２２１ａと第２探索端子２２１ｂと第３探索端子２２１ｃと第４探索端子２２１ｄと第５探索端子２２１ｅとの５対からなる。５対の各探索端子２２１ａ〜ｅは、各探索端子２２１ａ〜ｅが一対で並ぶ方向に沿って等しい間隔を隔てて設けられている。
【００５８】
通知部２３１ａ〜ｅは、探索端子２２１ａ〜ｅの複数の対に対応するように複数形成されている。通知部２３１ａ〜ｅは、たとえば、５対の各探索端子２２１ａ〜ｅに対応するように、第１通知部２３１ａと第２通知部２３１ｂと第３通知部２３１ｃと第４通知部２３１ｄと第５通知部２３１ｅとの５つが形成されている。通知部２３１ａ〜ｅは、たとえば、発光体を含み、一対の第１探索端子２２１ａと一対の電極線２１ｂとが接続している場合においては、電力供給システム１において電位差を有する一対の電極線２１ｂから第１探索端子２２１ａを介して電力が供給されて、第１通知部２３１ａが発光する。同様に、一対の第２から第５探索端子２２１ｂ〜ｅと一対の電極線２１ｂとが接続する場合においては、第２から第５探索端子２２１ｂ〜ｅに対応する第２から第５通知部２３１ｂ〜ｅが発光する。
【００５９】
マーク部２４１ａ〜ｅは、探索端子２２１ａ〜ｅの複数の対に対応するように複数形成されている。マーク部２４１ａ〜ｅは、たとえば、５対の各探索端子２２１ａ〜ｅに対応するように、第１マーク部２４１ａと第２マーク部２４１ｂと第３マーク部２４１ｃと第４マーク部２４１ｄと第５マーク部２４１ｅとの５つが形成されている。マーク部２４１ａ〜ｅにおいて、第１マーク部２４１ａは、第１探索端子２２１ａに対応しており、実施形態３と同様に、一対の探索端子２２１間の中心から、電極線２１ｂの幅ｄの半分の値（ｄ／２）分だけ電極線２１ｂの他端部側にシフトするように形成されている。同様にして、第２から第５マーク部２４１ａ〜ｅは、第２から第５探索端子２２１ａ〜ｅに対応するように形成されている。
【００６０】
なお、本実施形態の電極線探索装置３ｂは、本発明の電極線探索装置に相当する。また、本実施形態の探索端子２２１ａ〜ｅは、本発明の探索端子に相当する。そして、本実施形態の通知部２３１ａ〜ｅは、本発明の通知部に相当する。
【００６１】
以下より、本実施形態の電極線探索装置３ｂを用いて、電力供給システム１ｂの電極線２１ｂを探索する方法について説明する。
【００６２】
電力供給システム１ｂの電極線２１ｂを探索する際においては、電極線探索装置３ｂの探索端子２２１ａ〜ｅが形成されている面を、電力供給システム１ｂにおいて電極線２１ｂが形成されている面に合わせる。そして、電極線探索装置３ｂの探索端子２２１ａ〜ｅを、電力供給システム１ｂの絶縁層５１に貫通させて電極線２１ｂに接続させ、電極線２１ｂを探索する。ここで、図７に示すように、第１探索端子２２１ａと第２探索端子２２１ｂとが一対の電極線２１ｂと接続し、第３探索端子２２１ｃと第４探索端子２２１ｄと第５探索端子２２１ｅとが一対の電極線２１ｂと接続していない場合には、第１通知部２３１ａと第２通知部２３１ｂとが発光し、第３通知部２３１ｃと第４通知部２３１ｄと第５通知部２３１ｅとが発光しない。これにより、第１探索端子２２１ａと第２探索端子２２１ｂとに相当する個所に電極線２１ｂがあることが判る。また、この場合においては、第２探索端子２２１ｂが接続個所の境界に相当するため、第２探索端子２２１ｂに対応する第２マーク部２４１ｂの指示位置に基づいてユーザーが電子機器２ｂを設置する。
【００６３】
以上のように本実施形態の電極線探索装置３ｂは、一対の探索端子２２１ａ〜ｅが、複数の対からなり、それぞれが異なる位置に形成されている。そして、通知部２３１ａ〜ｅが、その一対の探索端子の複数の対に対応するように複数形成されている。このため、本実施形態は、電子機器２ｂに電力を供給する際において、電力供給システム１ｂの電極線２１ｂを容易に探索できるため、電子機器２ｂの設置場所を電力供給システム１ｂに容易に設定することができ、高い利便性を備え操作性を向上することができる。
【００６４】
なお、本発明の実施に際しては、上記した実施形態に限定されるものではなく、種々の変形形態を採用することができる。たとえば、本実施形態を組み合わせた形態について採用することができる。
【図面の簡単な説明】
【００６５】
【図１】図１は、本発明にかかる実施形態１の電力供給システムを示す構成図である
【図２】図２は、本発明にかかる実施形態１の電子機器の構成を示す斜視図である。
【図３】図３は、本発明にかかる実施形態２の電力供給システムを示す構成図である
【図４】図４は、本発明にかかる実施形態２の電子機器の構成を示す斜視図である
【図５】図５は、本発明にかかる実施形態３の電極線探索装置を示す構成図である。
【図６】図６は、本発明にかかる実施形態３の電極線探索装置の使用形態を示す図である
【図７】図７は、本発明にかかる実施形態４の電極線探索装置を示す構成図である。
【符号の説明】
【００６６】
１ａ，１ｂ：電力供給システム
２ａ，２ｂ：電子機器
３ａ，３ｂ：電極線探索装置
１０：壁面
１１：シート部材
２１ａ，２１ｂ：電極線
３１：分配部
４１：電源
５１：絶縁層
１１１：電子機器本体
１２１ａ，１２１ｂ：接続端子
２２１，２２１ａ，２２１ｂ，２２１ｃ，２２１ｄ，２２１ｅ：探索端子
２３１，２３１ａ，２３１ｂ，２３１ｃ，２３１ｄ，２３１ｅ：通知部
【図１】
2005333776.tif 000003
【図２】
2005333776.tif 000004
【図３】
2005333776.tif 000005
【図４】
2005333776.tif 000006
【図５】
2005333776.tif 000007
【図６】
2005333776.tif 000008
【図７】
2005333776.tif 000009